(57)【要約】【課題】  網戸を固定して自走を防ぐことができるサッシを提供する。【解決手段】  横枠と、二枚の網戸と、ストッパと、ロック部品を備え、網戸は、横枠に嵌めてあって、引き分けて開閉自在であり、ストッパは、横枠に取り付けてあって、両網戸が全閉位置から閉方向へ移動することを規制しており、ロック部品は、両網戸を全閉状態で連結するものである。【選択図】      図１
2015074883.tif 000002
【特許請求の範囲】
【請求項１】
横枠と、二枚の網戸と、ストッパと、ロック部品を備え、網戸は、横枠に嵌めてあって、引き分けて開閉自在であり、ストッパは、横枠に取り付けてあって、両網戸が全閉位置から閉方向へ移動することを規制しており、ロック部品は、両網戸を全閉状態で連結するものであることを特徴とするサッシ。
【発明の詳細な説明】
【技術分野】
【０００１】
本発明は、障子の室外側に網戸を備えるサッシに関する。
【背景技術】
【０００２】
特許文献１に示すような従来のサッシにおいては、障子にクレセントなどの施錠装置が設けられており、障子を全閉状態で固定することができる。一方、障子の室外側に位置する網戸にはそのような装置が設けられておらず、網戸を固定することはできなかった。
【先行技術文献】
【特許文献】
【０００３】
【特許文献１】特開２００１−１５９２７２号公報
【発明の概要】
【発明が解決しようとする課題】
【０００４】
しかしながら、このような従来のサッシにおいては、特に風が強い高層階において、網戸が風にあおられて自走する場合があり、その結果、網戸が窓枠に衝突し、その衝撃で網戸が故障したり、窓枠から外れて落下したりするおそれがあった。
【０００５】
本発明は、上記事情を鑑みたものであり、網戸を固定して自走を防ぐことができるサッシを提供することを目的とする。
【課題を解決するための手段】
【０００６】
本発明は、横枠と、二枚の網戸と、ストッパと、ロック部品を備え、網戸は、横枠に嵌めてあって、引き分けて開閉自在であり、ストッパは、横枠に取り付けてあって、両網戸が全閉位置から閉方向へ移動することを規制しており、ロック部品は、両網戸を全閉状態で連結するものであることを特徴とする。
【発明の効果】
【０００７】
本発明によれば、引き分けのサッシにおいて、ストッパ及びロック部品により網戸が完全に固定されるので、風などによる網戸の自走を防ぐことができる。その際、ロック部品を操作するだけで、容易に固定することができる。
【図面の簡単な説明】
【０００８】
【図１】サッシの室内側正面図である。
【図２】上部ストッパ部分を示し、（ａ）は正面図、（ｂ）は側面図、（ｃ）は固定状態の平面図、（ｄ）は非固定状態の平面図である。
【図３】上部ストッパの斜視図である。
【図４】下部ストッパ部分を示し、（ａ）は正面図、（ｂ）は側面図、（ｃ）は固定状態の平面図、（ｄ）は非固定状態の平面図である。
【図５】下部ストッパの斜視図である。
【図６】ロック部品部分を示し、（ａ）は平面図、（ｂ）は正面図である。
【図７】網戸のモヘアの障子に対する当接状態を示す説明図であり、（ａ）は外動引分窓、（ｂ）は内動引分窓を示す。
【発明を実施するための形態】
【０００９】
以下、本発明の実施の形態を図面に基づいて説明する。このサッシは、外動引分窓であり、図１に示すように、上下の横枠（上枠１及び下枠２）と左右の縦枠１１を四周枠組みしてあって、その内周側に、四枚の障子（二枚の内障子１２ａ，１２ｂ及び二枚の外障子１３ａ，１３ｂ）を納めてある。このうち、二枚の内障子１２ａ，１２ｂは、それぞれ横枠の左右端部に位置して固定されたＦＩＸ窓である。一方、二枚の外障子１３ａ，１３ｂは、上枠１及び下枠２に沿って摺動し、引き分けて開閉自在である。すなわち、外障子１３ａ，１３ｂを中央に寄せると閉鎖状態となり、外障子１３ａ，１３ｂを左右に引き分けると開放状態となる。そして、外障子１３ａ，１３ｂの室外側には、二枚の網戸３ａ，３ｂを設けてある。網戸３ａ，３ｂも、外障子１３ａ，１３ｂと同様に、上枠１及び下枠２に沿って摺動し、引き分けて開閉自在である。すなわち、網戸３ａ，３ｂを中央に寄せると閉鎖状態となり、網戸３ａ，３ｂを左右に引き分けると開放状態となる。外障子１３ａ，１３ｂを左右に引き分けて開放した際には、網戸３ａ，３ｂを中央に寄せて閉鎖し、虫の侵入を防ぐ。
【００１０】
網戸３ａ，３ｂは、上框３１ａ，３１ｂ，下框３２ａ，３２ｂ、突き合わせ側の縦框３３ａ，３３ｂ及び戸尻側（突き合わせ側の反対側）の縦框３４ａ，３４ｂを四周框組みして、その内周側に網材３５ａ，３５ｂを張ったものであり、その上下端が、上枠１及び下枠２の室外側端に設けたレールに係合している。そして、上枠１及び下枠２にはストッパ（上部ストッパ４及び下部ストッパ５）を取り付けてある。上部ストッパ４及び下部ストッパ５は、全閉状態の網戸３ａ，３ｂに当接し、網戸３ａ，３ｂが全閉位置からさらに閉方向へ移動すること、すなわち、左側の網戸３ａが全閉位置からさらに右側へ移動すること及び右側の網戸３ｂが全閉位置からさらに左側へ移動することを規制する。さらに、網戸３ａ，３ｂにはロック部品６を設けてあり、両網戸３ａ，３ｂを全閉状態で連結することができる。なお、網戸３ａ，３ｂの全閉状態においては、左側の網戸３ａの縦框３３ａの突き合わせ側端部が、右側の網戸３ｂの縦框３３ｂの突き合わせ側端部に飲み込まれる（図６（ａ））。以下、上部ストッパ４、下部ストッパ５及びロック部品６について、それぞれ詳述する。
【００１１】
まず、上部ストッパ４について、図２及び図３に基づき説明する（なお、図２（ｃ）、（ｄ）は下側から見た図である）。両網戸３ａ，３ｂの上端の突き合わせ部（左側の網戸３ａの右上部及び右側の網戸３ｂの左上部）には、それぞれ樹脂製の上部コーナーブロック７を取り付けてある。両上部コーナーブロック７は左右対称形状であり、室外側の取付部７１と、取付部７１から室内側に延びる延出部７２からなる。上部コーナーブロック７は、取付部７１を網戸３ａ，３ｂの突き合わせ側の縦框３３ａ，３３ｂの上端部に嵌め込んで固定してあり、延出部７２は、網戸３ａ，３ｂの上框３１ａ，３１ｂの端面を覆っている。延出部７２には、上側に向けて開口する摺動溝７３を形成してあり、この摺動溝７３が、上枠１の室外側端に設けたレール１ｒに係合する。また、網戸３ａ，３ｂの全閉状態において、両上部コーナーブロック７の延出部７２同士は離隔しており、間に空間部７４が形成される。さらに、延出部７２の上端部の摺動溝７３より室外側には、互いに対向する上部コーナーブロック７の延出部７２に向けて延びるヒレ片７５を設けてある。ヒレ片７５は、網戸３ａ，３ｂの全閉状態において、僅かな隙間を隔てて対向する。よって、網戸３ａ，３ｂの全閉状態において、空間部７４の上側はヒレ片７５により塞がれ、下側は開放された状態となる。
【００１２】
そして、上枠１の左右方向中央位置には、上部ストッパ４を取り付けてある。上部ストッパ４は、図３に示すように、支持部４１と、当接部４２を備える。支持部４１は、金属製で、水平向き板状の基部４３と、基部４３の室外側端から下方に延びる垂下部４４からなる。基部４３には二つのネジ孔４５を設けてある。一方、当接部４２は樹脂製で、略直方体形状であり、左右方向幅は、上部コーナーブロック７により形成される空間部７４の左右方向幅に等しく、高さは、空間部７４の上下長さよりも低く、上面の室内側寄りの位置には左右方向に延びる溝部４６を形成してある。垂下部４４の下端は室外側に屈曲しており、屈曲部分を当接部４２の室内側面に形成した穴に差し込んで、支持部４１と当接部４２を固定してある。そして、このように構成した上部ストッパ４は、上枠１のレール１ｒの室内側の見込面にネジ止めしてある。より詳しくは、基部４３を上枠１の見込面に下側から当接させ、見込面の上側には裏板４７を当てて、ネジ孔４５にネジを通し裏板４７に螺合してある。これにより、垂下部４４がレール１ｒに沿って延び、当接部４２の溝部４６がレール１ｒに係合して、当接部４２の大部分がレール１ｒより室外側に突出した状態となる。
【００１３】
このように構成した上部ストッパ４は、網戸３ａ，３ｂを全閉にした際に、当接部４２が上部コーナーブロック７の延出部７２に当接することで、網戸３ａ，３ｂがさらに閉方向へ移動することを規制する。この際、上部ストッパ４の当接部４２は、左右の上部コーナーブロック７の延出部７２同士の間に形成される空間部７４に嵌まり込むことになり、これにより、両網戸３ａ，３ｂは上部ストッパ４を挟んで閉鎖できる。そして、上部ストッパ４は、網戸３ａ，３ｂの全閉状態において、室内側からは左右の上部コーナーブロック７の延出部７２に挟まれた当接部４２の室内側面が見えるのみであり、目立たない。また、網戸３ａ，３ｂの全閉状態においては、左右の上部コーナーブロック７の延出部７２に形成したヒレ片７５が空間部７４の上側を塞ぐことにより、網戸３ａ，３ｂの突き合わせ部からの光漏れを防止している。そして、樹脂製の上部コーナーブロック７によって、上部ストッパ４の当接部４２が嵌まり込む空間部７４を形成してあるので、加工が容易である。
【００１４】
次に、下部ストッパ５について、図４及び図５に基づき説明する（なお、図４（ｃ）、（ｄ）は上側から見た図である）。両網戸３ａ，３ｂの下端の突き合わせ部（左側の網戸３ａの右下部及び右側の網戸３ｂの左下部）には、それぞれ樹脂製の下部コーナーブロック８を取り付けてある。両下部コーナーブロック８は左右対称形状であり、網戸３ａ，３ｂの突き合わせ側の縦框３３ａ，３３ｂの下端部に嵌め込んで固定してある。また、下框３２ａ，３２ｂの端部には、樹脂製の隙間塞ぎ材９を嵌め込んで取り付けてある。隙間塞ぎ材９は、室内側に向けて開口し上方に延びる取付溝９１を有しており、この取付溝９１に、モヘア９２を取り付けてある（図４（ｂ）以外では図示省略）。モヘア９２は室内側向きで、外障子１３ａ，１３ｂの下端部（見込幅が狭い部分）に当接して隙間を塞いでいる。さらに、下框３２ａ，３２ｂは、室内側に、下側に向けて開口するコ字形部を有していて、その内側に戸車ユニット１０を納めてある。戸車ユニット１０は、箱形で内部に戸車１０１を有しており、この戸車１０１が、下枠２の室外側端に設けたレール２ｒに係合する。なお、戸車１０１は調整用のネジを回すことで高さを調整できる。また、戸車ユニット１０の突き合わせ側の端部には、突き当て部１０２を設けてある。突き当て部１０２は、垂直向きの平板形状で、突き合わせ側に突出しており、バネにより突出方向に付勢されている。突き当て部１０２をバネの付勢力に抗して押し込むと、戸車ユニット１０の下部から固定片１０３が下側に向けて突出する。突出した固定片１０３も、バネにより下方に付勢されている。網戸３ａ，３ｂを建て込んだ後に突き当て部１０２を押し込むことで、固定片１０３が突出して下枠２のレール２ｒに係合し、網戸３ａ，３ｂが外れることを防ぐ。
【００１５】
そして、下枠２の左右方向中央位置には、下部ストッパ５を取り付けてある。下部ストッパ５は、図５に示すように、支持部５１と、当接部５２を備えており、支持部５１と当接部５２は樹脂製で一体に成形されている。支持部５１は、略直方体形状であり、下面には左右方向に延びる溝部５３を形成してあり、さらに室内外方向に貫通するネジ孔５４を形成してある。また、当接部５２も、略直方体形状であり、その室外側面は、支持部５１の室外側面より室外側に突出していて、左右方向に延びる取付溝５５を形成してあり、取付溝５５にモヘア５６を取り付けてある。そして、このように構成した下部ストッパ５は、溝部５３に下枠２のレール２ｒを挿入させ、室外側からネジ孔５４にネジを螺入して固定してある。これにより、当接部５２の約半分がレール２ｒより室外側に突出した状態となる。なお、このようにレール２ｒに取り付けた際に、室内側に位置する外障子１３ａ，１３ｂと干渉しないように、当接部５２の室内側部分を切り欠いてある。
【００１６】
このように構成した下部ストッパ５は、網戸３ａ，３ｂを全閉にした際に、当接部５２が戸車ユニット１０の突き当て部１０２に当接することで、網戸３ａ，３ｂがさらに閉方向へ移動することを規制する。また、下部ストッパ５の当接部５２から室外側に向けて延びるモヘア５６が、網戸３ａ，３ｂの縦框３３ａ，３３ｂに当接することで、網戸３ａ，３ｂの突き合わせ部からの光漏れを防止している。
【００１７】
このように、網戸３ａ，３ｂを全閉にした際には、上端部に上部ストッパ４が当接し、下端部に下部ストッパ５が当接することで、網戸３ａ，３ｂが全閉位置からさらに閉方向へ移動することを、確実に規制している。なお、網戸３ａ，３ｂの全閉状態において上部コーナーブロック７により形成される空間部７４の上下長さは、空間部７４に嵌まる上部ストッパ４の当接部４２の高さよりも長く、戸車ユニット１０における戸車１０１の高さの調整幅を吸収できるだけの余裕がある。よって、網戸３ａ，３ｂの建て込み調整の際に、上部ストッパ４の当接部４２が周囲に干渉することはない。
【００１８】
次に、ロック部品６について、図６に基づき説明する。ロック部品６は、網戸３ａ，３ｂの突き合わせ側の縦框３３ａ，３３ｂに設けてあり、左側の網戸３ａの縦框３３ａに取り付けた操作部６１と、右側の網戸３ｂの縦框３３ｂに取り付けた受部６２を備える。操作部６１は、左側の網戸３ａの縦框３３ａの開口部内に納めた本体６３と、縦框３３ａの室内側に露出するスライダ６４と、縦框３３ａの突き合わせ側に突出する上向き鉤状のフック６５からなる。本体６３は、縦框３３ａの突き合わせ側の見込面にネジ止めしてあり、スライダ６４を上下動させると、連動してフック６５も上下動する。一方、受部６２は、金属平板を略コ字形に折り曲げて形成したもので、右側の網戸３ｂの縦框３３ｂの突き合わせ側面にネジ止めしてあり、縦框３３ｂの突き合わせ側面と平行な見込面に、左右方向に貫通する係合孔６６を形成してある。なお、このロック部品６は、網戸３ａ，３ｂの縦框３３ａ，３３ｂの上下方向中間位置に設けてあり、操作時にしゃがんだり上方へ手を伸ばしたりする必要がなく、操作が容易である。
【００１９】
このロック部品６は、スライダ６４を下げた状態が開状態、上げた状態が閉状態であり、スライダ６４を下げた状態で網戸３ａ，３ｂを全閉にすると、フック６５が受部６２の係合孔６６に挿入され、その状態でスライダ６４を上げると、フック６５が受部６２に係合して、両網戸３ａ，３ｂが連結される。網戸３ａ，３ｂは、全閉状態において、上部ストッパ４及び下部ストッパ５により閉方向へ移動できず、またロック部品６により連結することで開方向へ移動できないので、完全に固定されることになる。
【００２０】
このように構成したサッシによれば、上部ストッパ４、下部ストッパ５及びロック部品６により網戸３ａ，３ｂが完全に固定されるので、風などによる網戸３ａ，３ｂの自走を防ぐことができる。その際、網戸３ａ，３ｂの通常の全閉操作の後、ロック部品６のスライダ６４を操作するだけで、容易に固定することができる。
【００２１】
また、網戸３ａ，３ｂの戸尻側の縦框３４ａ，３４ｂには、室内側に向けて延びるモヘア３６を取り付けてあり、このモヘア３６が、網戸３ａ，３ｂの室内側に位置する外障子１３ａ，１３ｂに当接することで、網戸３ａ，３ｂと外障子１３ａ，１３ｂの間の隙間を塞いで虫の侵入を防ぐ。ここで、本発明のサッシにおいては、上部ストッパ４及び下部ストッパ５により、網戸３ａ，３ｂが全閉位置から閉方向に移動することを規制しており、すなわち、図１及び図７（ａ）に示すように、二枚の網戸３ａ，３ｂは全閉状態において必ず窓の左右方向中央に位置することになる（図７において窓の左右方向中心を一点鎖線で示す）。これにより、外障子１３ａ，１３ｂを全開にした状態において、網戸３ａ，３ｂの戸尻側の縦框３４ａ，３４ｂのモヘア３６は確実に外障子１３ａ，１３ｂの中央側の縦框１３１ａ，１３１ｂに当接する。もし網戸３ａ，３ｂの移動を規制するストッパがない場合、全閉状態の網戸３ａ，３ｂが左右方向中央から少しでもずれると、どちらか一方の戸尻側の縦框３４ａ，３４ｂが外障子１３ａ，１３ｂの中央側の縦框１３１ａ，１３１ｂよりも中央側に位置してしまい、モヘア３６が外障子１３ａ，１３ｂに当接せず隙間が生じてしまうが、本発明のサッシはそれを防いで、網戸３ａ，３ｂが確実に防虫機能を発揮するようにしてある。
【００２２】
なお、本発明のサッシは、図７（ｂ）に示すような内動引分窓であってもよい。この場合、二枚の外障子１３ａ，１３ｂは、それぞれ横枠の左右端部に位置して固定されたＦＩＸ窓であり、二枚の内障子１２ａ，１２ｂは、上枠１及び下枠２に沿って摺動し、引き分けて開閉自在である。内動引分窓の場合においても、上部ストッパ４、下部ストッパ５及びロック部品６により、網戸３ａ，３ｂが完全に固定されて自走を防ぐものであり、その際の操作が容易である。そして、上部ストッパ４及び下部ストッパ５により、二枚の網戸３ａ，３ｂが全閉状態において必ず窓の左右方向中央に位置するので、戸尻側の縦框３４ａ，３４ｂのモヘア３６が確実に外障子１３ａ，１３ｂの中央側の縦框１３１ａ，１３１ｂに当接して、虫の侵入を防ぐ。
【００２３】
本発明は、上記の実施形態に限定されない。たとえば、上部ストッパ及び下部ストッパは、網戸の移動を規制できるものであれば、どのような形状のものであってもよいし、どこに取り付けてあってもよい。また、上部ストッパ又は下部ストッパのどちらか一方のみを有するものであってもよい。さらに、ロック部品は、両網戸を連結できるものであれば、どのような形状のものであってもよいし、どこに取り付けてあってもよい。また、本発明は、二枚の外障子と二枚の内障子がすべて摺動自在な窓など、二枚の引き分けて開閉自在な網戸を有する種々の窓種のサッシに適用できる。
【符号の説明】
【００２４】
１  上枠（横枠）
２  下枠（横枠）
３ａ，３ｂ  網戸
４  上部ストッパ（ストッパ）
５  下部ストッパ（ストッパ）
６  ロック部品
【図１】
2015074883.tif 000003
【図２】
2015074883.tif 000004
【図３】
2015074883.tif 000005
【図４】
2015074883.tif 000006
【図５】
2015074883.tif 000007
【図６】
2015074883.tif 000008
【図７】
2015074883.tif 000009